(57)【特許請求の範囲】
【請求項１】
複数帯域の周波数を用いて基地局との間で送受信するマルチバンド対応無線移動機において、基地局からの周辺ゾーンキャリア受信レベルを測定する方法であって、
前記無線移動機が前記基地局と通信中、自局から送信される送信スロットと、前記基地局からの周辺ゾーンキャリア受信レベルを監視するための測定スロットとのタイミングが重なった場合、送信周波数と同じ周波数帯域で前記基地局からの周辺ゾーンキャリア受信レベルを測定することを特徴とする、周辺ゾーン監視用キャリア測定方法。
【請求項２】
前記周辺ゾーン監視用キャリア測定方法は、さらに、前記無線移動機が前記基地局と通信中、自局から送信される送信スロットと、前記基地局からの周辺ゾーンキャリア受信レベルを監視するための測定スロットとのタイミングが重ならない場合、複数の周波数帯域で前記基地局からの周辺ゾーンキャリア受信レベルを測定することを可能とする請求項１記載の周辺ゾーン監視用キャリア測定方法。
【請求項３】
前記周辺ゾーン監視用キャリア測定方法は、さらに、同期ワード検出スロット受信を優先した後、前記基地局からの周辺ゾーンキャリア受信レベルを測定することを可能とする請求項１または２に記載の周辺ゾーン監視用キャリア測定方法。
【発明の詳細な説明】
【０００１】
【発明の属する技術分野】
この発明は、マルチバンド対応無線移動機の周辺ゾーン監視用キャリア測定方法に関し、特に、無線移動機が複数の離れた周波数帯域のいずれかを使用して通信制御を行なう、いわゆるマルチバンド対応電話システムにおいて、基地局からの周辺ゾーンキャリア受信レベルを測定する周辺ゾーン監視用キャリア受信レベル測定方法に関する。
【０００２】
【従来の技術】
図３は従来のシングルバンド対応電話システムにおける無線移動機のハードウエア構成例を示すブロック図である。図３においてアンテナ１は送受信選択切換回路２に接続されており、送受信選択切換回路２はアンテナ１で受信された受信信号を受信系回路３に出力し、送信系回路４からの送信信号をアンテナ１に出力するように切換える。受信系回路３はＰＬＬ回路５で発振される局部発振信号に基づいて受信信号をベースバンド信号に変換して受信レベル測定回路７に出力するとともに、ベースバンド処理部８に出力する。送信系回路４はＰＬＬ回路６で発振される局部発振信号に基づいて、ベースバンド信号を受信周波数とは異なる周波数の送信信号に変換する。
【０００３】
図３に示した無線移動機は、８００ＭＨｚ帯域のシングルバンドのみで通信を行なうものである。
【０００４】
現在、マルチバンド対応電話システムには、図４に示すような使用周波数がＲＣＲ（ＰＥＲＳＯＮＡＬ  ＤＩＧＩＴＡＬ  ＣＥＬＬＵＬＡＲ  ＴＥＬＥＣＯＭＭＵＮＩＣＡＴＩＯＮ  ＳＹＳＴＥＭ）  ＳＴＤ−２７Ｉの規格で定められている。この規格では、基地局と無線移動機との間で、８００ＭＨｚ帯１，２および３と、１．５ＧＨｚ（１５００ＭＨｚ）帯の周波数帯で送受信が行なわれる。ところが、データパケットをたとえば８００ＭＨｚ帯で受信し、たとえば１．５ＧＨｚ帯で同時に送信しようとすると、アンテナのインピーダンスによるミスマッチングあるいは無線構成による問題が生じるという問題がある。
【０００５】
また、携帯電話システムにおいては、従来より図５に示すように、現在無線移動機Ｍ１がある基地局Ｂ１のゾーンＡ１内にあるとき、図３に示した受信レベル測定回路７によって、そのゾーンＡ１の周辺基地局のキャリア受信レベルを絶えず測定（以下、周辺ゾーン監視と称する）し、無線移動機がその基地局のゾーン内にいても何らかの障害により受信レベルが低下し、周辺の基地局Ｂ２のキャリア受信レベルの方が高いとき、そちらの基地局Ｂ２の電波を受信できるように制御することが行なわれている。
【０００６】
マルチバンド対応電話システムでは、１つの基地局が８００ＭＨｚ帯の電波を送受信することもあれば、１．５ＧＨｚ帯の電波を送受信していることもあり、これに対応して無線移動機ではその２つの周波数帯で周辺ゾーン監視を行なう必要がある。周辺ゾーン監視のために、無線移動機側で基地局から送られてくるキャリアの受信レベルの測定が行なわれる。
【０００７】
図６は周辺ゾーン監視用キャリア受信レベル測定のためのスロット例である。図６において、（ａ），（ｂ）は基地局の受信，送信のタイムスロットを示し、（ｃ），（ｄ）は無線移動機の送信，受信のタイムスロットを示している。そして、記号Ｒは受信，Ｔは送信，Ｂは基地局側，Ｍは無線移動機側および０〜２はスロット番号を示す。このスロットはフレームデータをＴＤＭＡで時分割することにより割り当てられる。
【０００８】
基地局から（ｂ）に示すスロットＴ−Ｂ２が送信されると、当該無線移動機側では（ｄ）に示すように、そのスロットをＲ−Ｍ２として受信し、続いて基地局から継続スロットの最終スロットＴ−Ｂ０が送信されると、当該無線移動機側ではそのスロットをＲ−Ｍ０として受信する。基地局は続いて他の無線移動機のためのスロットＴ−Ｂ１を送信する。当該無線移動機ではそのスロットは、自局の通信用物理チャネルの割り当てではない、あるいは他局宛のスロットであると判断する。
【０００９】
基地局が続いてスロットＴ−Ｂ２を送信すると、当該無線移動機ではそのスロットを自局宛のスロットＲ−Ｍ２として受信する。基地局がアイドルスロットＴ−Ｂ０を送信すると、当該無線移動機では受信する必要のないアイドルスロットであると判断する。当該無線移動機では、受信した各スロットのデータをバッファメモリに蓄積し、フレームデータを再構成する。
【００１０】
【発明が解決しようとする課題】
ところで、無線移動機は、上記自局通信用物理チャネルの割り当てではない、または他局宛のスロットＲ−Ｍ１、あるいはアイドルスロットＲ−Ｍ０であると判断したとき、そのスロットが送出される期間内で、周辺ゾーン監視のために基地局の周辺ゾーンキャリア受信レベルの測定を行なう。ところが、図６（ｃ）に示すように、たとえば無線移動機が基地局宛に送信する送信スロットＴーＭ２と、周辺ゾーン監視用のキャリア受信レベル測定スロットＲ−Ｍ１とがタイミング的に重なることがあり、その場合同じ帯域の周波数であればアンテナのインピーダンスによるミスマッチングあるいは無線構成による問題は起こらないが、マルチバンド対応のシステムでは送信スロットの帯域と周辺ゾーン監視用キャリアの帯域が異なればアンテナのミスマッチングあるいは無線構成による問題が起こるという問題が生じる。
【００１１】
それゆえに、この発明の主たる目的は、周辺ゾーン監視を行なうタイミングと送信タイミングが重なる場合、および周辺ゾーン監視を行なうタイミングと送信タイミングが重ならない場合のそれぞれに応じて、適切に周辺ゾーン監視を行なうマルチバンド対応無線移動機の周辺ゾーン監視用キャリア測定方法を提供することである。
【００１２】
【課題を解決するための手段】
この発明は、複数帯域の周波数を用いて基地局との間で送受信するマルチバンド無線移動機において、無線移動機が基地局と通信中、自局から送信される送信スロットと、周辺ゾーンの受信レベルを監視するための周辺ゾーン監視用キャリア受信レベル測定スロットとのタイミングが重なり、かつ自局送信側周波数帯域と周辺ゾーン監視用キャリア受信レベル測定周波数帯域が異なる場合、送信周波数と同じ周波数帯域で周辺ゾーン監視用キャリア受信レベルの測定を行なうことを特徴とする。
【００１３】
好ましくは、無線移動機が基地局と通信中、自局から送信される送信スロットと、周辺ゾーンの受信レベルを監視するための周辺ゾーン監視用キャリア受信レベル測定スロットとのタイミングが重ならない場合、送信周波数帯域に関わらず、複数の周波数帯域で周辺ゾーン監視用キャリア受信レベルの測定を可能とする。
【００１４】
好ましくは、同期ワード検出スロット受信を優先した後、基地局からの周辺ゾーンキャリア受信レベルを測定することを可能とする。
【００１５】
【発明の実施の形態】
図１はこの発明の一実施形態の動作を説明するためのタイムチャートであり、（ａ）は周辺ゾーンの受信レベルを監視するための周辺レベルモニタ用スロットと送信スロットが重なる場合を示し、（ｂ）は重ならない場合を示している。
【００１６】
従来では、受信スロットが３つ連続してシリアルに出力される場合、１番目のスロットは無線移動機１に、２番目のスロットは無線移動機２に、３番目のスロットは無線移動機３にというように割り当てられていた。
【００１７】
これに対して、この発明が適用されるマルチバンド対応無線移動機では、受信スロットが３つ連続してシリアルに出力される場合、それら３スロットのうち３スロットもしくは２スロットを１つの無線移動機の受信スロットに割り当てて高速通信を可能にする。ただし、送信スロットは必ずしも連続したスロットとして出力されるわけではなく、空きスロットが生じる。そこで、この発明の実施形態では、その空きスロットの期間を利用して基地局の周辺ゾーンキャリア受信レベルの測定を行なう。
【００１８】
無線移動機では、図１（ａ）および（ｂ）に示す受信スロット＃２ａを解析することにより、たとえば継続する受信スロット＃２ｂを周辺レベルモニタ用スロットに適用するときには、受信スロット＃０ａの後半に位置する衝突制御ビットを解析することにより、送信スロット＃０ｄが送信可能か否かを予測する。なお、送信スロットは無線移動機自身が送信必要であることを判断し、基地局が送信を許可したときに送信される。図１（ａ）では送信スロット＃０ｄで送信すると判断したものであり、図１（ｂ）では送信不可もしくは送信不要と判断したものである。
【００１９】
この判断により、図１（ａ）に示すように周辺レベルモニタ用スロット＃２ｂと送信可能スロット＃０ｄが重なるタイミングでは、レベル測定パターン１による８００ＭＨｚ帯のキャリア受信レベル測定を行ない、図１（ｂ）に示すように周辺レベルモニタ用スロットと送信不可スロットまたは送信不要スロットが重なるタイミングでは、レベル測定パターン２による１．５ＧＨｚ帯のキャリア受信レベル測定を優先して行ない、その後レベル測定パターン１による８００ＭＨｚ帯のキャリア受信レベル測定を行なう。
【００２０】
すなわち、周辺ゾーン監視を行なうのは、現在無線移動機がある基地局のゾーン内にあるとき、そのゾーンの周辺基地局のキャリア受信レベルを絶えず測定し、無線移動機がその基地局のゾーン内にいても何らかの障害により受信レベルが低下し、周辺基地局のキャリア受信レベルの方が高いとき、そちらの基地局の電波を受信できるように制御するためである。
【００２１】
ところが、無線移動機が高速伝送を行なうために３スロット連続受信または２スロット受信を行なう場合、基地局の周辺ゾーンキャリアを監視するタイミングが少なくなる。これを改善するために、上述のレベル測定パターン１においては、自局送信スロットの送信タイミングにおいても周辺ゾーン監視を実行し、送信周波数と異なる帯域の周辺ゾーン監視は行なわない。
【００２２】
この場合、送信スロットの送信周波数と周辺ゾーン監視する受信周波数は同じ帯域であり、異なる帯域の周波数の周辺ゾーン監視は行なわないので、アンテナのミスマッチングあるいは無線構成による問題という問題は生じない。
【００２３】
一方、レベル測定パターン２においては、送信スロットがない場合、送信スロットの送信周波数と同じ帯域あるいは帯域の異なる周波数の周辺ゾーン監視を行なう。この場合、送信スロットで送信を行っていないので、帯域の異なる周波数のゾーン監視を行なってもアンテナのミスマッチングあるいは無線構成による問題は起こらない。
【００２４】
なお、図１（ａ）および（ｂ）において、周辺レベルモニタ用スロットの期間は、６．６７ｍｓｅｃあるが実際に測定を行なう期間は最初の５．６７ｍｓｅｃであり、その時間差は１ｍｓｅｃである。送信スロットが受信スロットよりも１ｍｓｅｃ速く送出されているが、この期間はレベルメジャメント（ＬＭ）と呼ばれ、この期間内でダイバーシティ制御が行なわれる。すなわち、１ｍｓｅｃ内で無線移動機に搭載されている２本のアンテナの受信レベルを測定し、受信レベルの高いアンテナの出力を選択して受信するための制御が行なわれる。
【００２５】
また、図１（ａ）の説明は８００ＭＨｚ帯で送信することを基本としているため、送信スロットと周辺レベルモニタ用スロットが重なる場合に８００ＭＨｚ帯のキャリアの受信レベルを測定しており、１．５ＧＨｚ帯を送信することを基本とする場合は、１．５ＧＨｚ帯のキャリア受信レベル測定が行なわれる。
【００２６】
同様にして、図１（ｂ）の説明においても、１．５ＧＨｚ帯で送信するのを基本とする場合には、１．５ＧＨｚ帯のレベル測定パターン２による受信レベルの測定が先に行なわれ、その後８００ＭＨｚ帯の受信レベルの測定が行なわれる。
【００２７】
図２はこの発明の一実施形態の具体的な動作を説明するためのフローチャートであり、図１に示したタイムチャートに基づく処理を実行するものである。この図２に示すフロチャートを実現するためのハード構成は、たとえば図３に示した回路構成をそのまま、あるいは若干の変更で使用可能であるが、その他の送受信機の構成であってもよい。そして、ソフトウエアを図２に示すフローチャートで実現すればこの発明を実施できる。
【００２８】
図２に示すステップＳＰ（図示ではＳＰと略称する）０において、まず現在処理しようとするスロットが同期ワード検出スロットであり、かつ、移動機が同期ワード検出を行なうと判断した場合には同期ワード検出を行ない、現在処理しようとするスロットが同期ワード検出スロットでない、もしくは、同期ワード検出スロットであっても移動機が同期ワード検出を行なわないと判断した場合にはステップＳＰ１に進む。
【００２９】
周辺ゾーンモニタ用スロットよりも同期ワード検出用スロットを優先的に受信することは、同期ワード検出スロットが定期的（継続的）に受信でき、基地局との同期確立，位相追従，周波数安定など通信品質の保持に効果的である。
【００３０】
ステップＳＰ１において基地極からの指令に基づいて、周辺ゾーンモニタ用スロットがあるか否かが判別され、なければ周辺ゾーンモニタ用スロットが送られてくるまで待機する。ステップＳＰ２において、２スロット前（下り｜ｎ−２｜スロット）の受信Ｉ／Ｂ（アイドル／ビジー）であるか否かが判別される。これは図１において「ここで送信と判断」あるいは「ここで送信不可もしくは送信不要と判断」に相当し、基地局から指令が与えられる。
【００３１】
アイドル状態であり、基地局から送信許可の指令が与えられていれば、ステップＳＰ３において送信データがあるか否かが判別される。無線移動機では送信データがあるか否かを自局で判断し、送信データの有ることが判別されると図１（ａ）に示したように送信スロットと、周辺レベルモニタ用スロットとのタイミングが重なる状態となる。ステップＳＰ４において８００ＭＨｚ帯のレベル測定が完了したか否かを判別する。ここで、８００ＭＨｚの周波数帯は基地局から指定され、所定時間内に監視しなければならない周波数のチャネル数が定められており、すべてのチャネルについて監視が終了したか否かが判別される。
【００３２】
ステップＳＰ４において、８００ＭＨｚ帯のレベル測定が終了していなければ、無線移動機の受信レベル測定回路では、ステップＳＰ５において、レベル測定パターン１による８００ＭＨｚ帯について受信レベルの測定を行なう。そして、再びステップＳＰ０に戻りステップＳＰ１〜ＳＰ４の処理を行ない、８００ＭＨｚ帯のレベルの測定が完了していれば、ステップＳＰ６において１．５ＧＨｚ帯のレベル測定が完了したか否かが判別される。
【００３３】
前述のステップＳＰ２において、ビジーと判断されたときはステップＳＰ７に進み、次ユニット（上り｜ｎ−２｜スロット）にて継続送信データがあるか否かが判別される。通常、送信スロットはいくつか続いているため、継続する送信データがあるものと判断した場合、ＳＰ４，ＳＰ５，ＳＰ０，ＳＰ１，ＳＰ２およびＳＰ７の経路による処理が行なわれる。そして、再びステップＳＰ４の処理を行なう。
【００３４】
ステップＳＰ４において８００ＭＨｚ帯についてレベル測定が完了していれば、ステップＳＰ６において１．５ＧＨｚ帯のレベル測定が完了したか否かが判別され、完了していなければ、ＳＰ０に戻り、ＳＰ１，ＳＰ２，ＳＰ７，ＳＰ４およびＳＰ６の処理が繰り返される。そして、ステップＳＰ６において１．５ＧＨｚ帯のレベル測定が完了していれば、両帯域のレベル測定を完了する。
【００３５】
もし、ステップＳＰ３において送信データのないことを判別したとき、あるいはステップＳＰ７において継続送信データのないことを判別したときは、ステップＳＰ８で１．５ＧＨｚ帯のレベル測定が完了したか否かが判別される。完了していなければ、ステップＳＰ９においてレベル測定パターン２により１．５ＧＨｚ帯のレベル測定が優先して行なわれる。そして、ＳＰ０，ＳＰ１，ＳＰ２，ＳＰ３またはＳＰ７およびＳＰ８の処理を繰り返し、１．５ＧＨｚ帯のレベル測定が完了していれば、ステップＳＰ１０において８００ＭＨｚ帯のレベル測定が完了したか否かが判別される。測定が完了していればステップＳＰ５においてレベル測定パターン１によるレベル測定が行なわれる。
【００３６】
上述のごとく、この実施形態によれば、周辺ゾーンモニタ用スロットと送信可能スロットとが重なるタイミングでは８００ＭＨｚ帯のレベル測定を行ない、周辺ゾーンモニタ用スロットと送信不可もしくは送信不要スロットが重なるタイミングでは１．５ＧＨｚ帯を優先してレベル測定を行ない、その後８００ＭＨｚ帯のレベル測定を行なうようにしたので、無線移動機が複数の離れた周波数帯域のいずれかを使用して通信を行なう場合にも、アンテナのミスマッチングあるいは無線構成による問題を生じることなく周辺基地局の受信レベル測定が可能になる。
【００３７】
今回開示された実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【００３８】
【発明の効果】
以上のように、この発明によれば、無線移動機が送信する送信スロットと周辺ゾーン監視用キャリア受信レベルを測定するスロットとが重なり、自局送信側周波数帯域と周辺ゾーン基地局監視用のキャリア受信レベル測定側周波数帯域とが異なる場合には、送信周波数と同じ周波数帯域で周辺ゾーン監視用キャリア受信レベル測定を可能とし、送信スロットと周辺ゾーン監視用キャリア受信レベルを測定するスロットとが重ならない場合には、送信周波数に関わらず、複数の周波数帯域で周辺ゾーン監視用キャリア受信レベル測定を可能とすることにより、アンテナのマッチングあるいは無線構成による問題を回避して周辺基地局の受信レベルの測定を行なうことができる。
【００３９】
また、周辺ゾーンモニタ用スロットよりも同期ワード検出スロットを優先的に受信した場合、同期ワード検出スロットが定期的（継続的）に受信でき、基地局との同期確立，位相追従，周波数安定など通信品質の保持に効果的である。
【図面の簡単な説明】
【図１】  この発明の一実施形態の動作を説明するためのタイムチャートである。
【図２】  この発明の一実施形態の具体的な動作を説明するためのフローチャートである。
【図３】  従来のシングルバンド対応電話システムにおける無線移動機のハードウエア構成を示すブロック図である。
【図４】  ＲＣＲ  ＳＴＤ−２７Ｉの規格で定められている周波数帯域を説明するための図である。
【図５】  周辺ゾーン構成例を示す図である。
【図６】  周辺ゾーン監視用キャリア受信レベル測定のためのスロット例である。
【符号の説明】
１  アンテナ、２  送受信選択切換回路、３  受信系回路、４  送信系回路、５，６  ＰＬＬ回路、７  受信レベル測定回路，８  ベースバンド処理部。
【図１】
0003964251.tif 000002
【図２】
0003964251.tif 000003
【図３】
0003964251.tif 000004
【図４】
0003964251.tif 000005
【図５】
0003964251.tif 000006
【図６】
0003964251.tif 000007